(57)【特許請求の範囲】
【請求項１】
固定側型板群と可動側型板群からなり、それら双方の型板群に成形品が形成されるキャビティーが形成された金型装置であって、前記固定側型板群のキャビティーによって成形された成形部を離脱させ、次いで、可動側型板群のキャビティーによって成形された成形部を離脱させると共に、前記固定側型板群の成形部の離脱を固定コアピン部と移動コアピン部から構成された固定側コアピンの前記移動コアピン部の移動によってなしたことと、その移動コアピン部を前記可動側型板群のキャビティー内に突出させると共に、前記移動コアピン部を固定側型板群と可動側型板群の拡開方向に向けて付勢し、また、移動コアピン部の中間部を固定側型板群の端面に当接させたことを特徴とする金型装置。
【発明の詳細な説明】
【０００１】
【発明の属する技術分野】
本発明は、固定側型板群と可動側型板群からなり、それら双方の型板群に成形品が形成されるキャビティーが形成された金型装置に関する。
【０００２】
【従来の技術】
１例を図１０〜図１１に示し説明する。金型装置１０１は、固定側型板群１０２と可動側型板群１０３とから構成されており、その固定側型板群１０２には成形品の１部分を成形する固定側キャビティー１０４と、その成形品に中空部を形成する固定側コアピン１０５が形成されている。一方、前記可動側型板群１０３には、成形品の他の分を形成する可動側キャビティー１０６と、その成形品に中空部を形成する可動側コアピン１０７が設けられている。符号１０８は、前記固定側キャビティー１０４と可動側キャビティー１０６などによって形成された成形品を、前記可動側キャビティー１０６から離脱させるためのスリーブピンであり、可動側型板群１０３に設けられている。
次に、動作について説明する。図１０に示される状態から各キャビティー１０４、１０６に樹脂が流入され成形品が形成される。この樹脂が硬化すると、金型１０１が拡開し固定側キャビティー１０４から成形品が離脱する。更に金型１０１が拡開すると、スリーブピン１０８により成形品が突き出され、可動側キャビティー１０６から離脱する。
【０００３】
【発明が解決しようとする課題】
しかし、上記の従来技術にあっては、成形品Ａが固定側キャビティー１０４、特に、固定側コアピン１０５を抱きつくように挟持しているため、金型１０１が拡開した際、固定側キャビティー１０４から成形品Ａが離脱せず、最初に可動側キャビティー１０６から離脱してしまい、その結果、成形品Ａが固定側型板群１０２に取り残されてしまうことが頻繁に発生した（図１１参照）。この現象は、前記固定側コアピン１０５の成形品への接触面積が多くなるに従って顕著となる。この様な状態の基において、成形を続行すると金型装置を破壊してしまうことは言うまでもない。
【０００４】
【課題を解決するための手段】
そこで本発明は、固定側型板群と可動側型板群からなり、それら双方の型板群に成形品が形成されるキャビティーが形成された金型装置であって、前記固定側型板群のキャビティーによって成形された成形部を離脱させ、次いで、可動側型板群のキャビティーによって成形された成形部を離脱させると共に、前記固定側型板群の成形部の離脱を固定コアピン部と移動コアピン部から構成された固定側コアピンの前記移動コアピン部の移動によってなしたことと、その移動コアピン部を前記可動側型板群のキャビティー内に突出させると共に、前記移動コアピン部を固定側型板群と可動側型板群の拡開方向に向けて付勢し、また、移動コアピン部の中間部を固定側型板群の端面に当接させたことを要旨とする。
【０００５】
【作用】
固定側コアピンを移動させることによって、成形品が固定側型板群から強制的に離脱させられる。
また、本実施例においては、固定側コアピンを複数に分割することによって、成形品のコアピンに対する挟持力が分散される。
【０００６】
【実施例】
１例を図１〜図５に第１例を示す説明する。金型装置１は、前記従来技術と同様に固定側型板群２と可動側型板群３から構成されており、その固定側型板群２には成形品の１部分を成形する固定側キャビティー４と、その成形品に中空部を形成する固定側コアピン５が設けられている。一方、前記可動側型板群３には、成形品の他の分を形成する可動側キャビティー６と、その成形品に中空部を形成する可動側コアピン７が設けられている。符号８は、前記固定側キャビティー４と可動側キャビティー６などによって形成された成形品を、前記可動側キャビティー６から離脱させるためのスリーブピンであり、可動側型板群３に設けられている。以上の構成は、従来技術とほぼ同様である。
【０００７】
本発明の最大の特徴点は、前記固定側コアピン５を移動コアピン部５ａと固定コアピン部５ｂに分割し、その移動コアピン部５ａを金型１の開閉方向に対して移動可能に設けた点にある。以下、詳述する。前記固定側キャビティー４が形成されたキャビティーブロック９の内側には、ブッシュ１０を介して前記移動コアピン部５ａが前後動可能に配置されている。そして、その移動コアピン部５ａは、コイルスプリングなどの弾撥部材１１によって、常に金型１の拡開方向に付勢されている。この弾撥部材１１の弾撥力は、前記第１キャビティー４の成形品Ａに対する保持力よりも強いものとなっている。符号１２は、移動コアピン部５ａのキャビティーブロック９からの脱落を防止するストップボルトであって、移動コアピン部５ａの後端に取り付けられているが、この場所に限定されないものである。
【０００８】
次に動作について説明する。図１に示す状態から、各キャビティー４、６に樹脂を流入する。樹脂の硬化後、金型１を拡開するが、この時、前記移動コアピン部５ａは、弾撥部材１１によって、その金型１の拡開方向に付勢されているため、該方向に移動が開始され、成形品Ａを固定側キャビティー４、並びに、固定コアピン部５ｂから離脱させようとする力が作用し、その結果、成形品Ａが固定側キャビティー４並びに、固定コアピン部５ｂから離脱する（図２参照）。尚、この際、前記可動側キャビティー６や可動側コアピン７も、成形品Ａを固定側キャビティー４から離脱させようとする力が作用していることは言うまでもない。
ここで、更に金型１が拡開すると、前記移動コアピン部５ａの移動が前記ストップボルト１２によって規制され、成形品Ａから抜け出る（図３参照）。
更に、金型１を拡開させると、スリープピン８が作動を開始し成形品Ａが突き出され（図４参照）、やがて、キャビティー６から離脱させられる（図５参照）。
【０００９】
第２例を図６〜図７に示し説明する。前記第１例の移動コアピン部５ａに中空部５ｃを形成すると共に、その中空部５ｃに前記可動コアピン７の先端に取り付けた樹脂製のプラロック１３をある程度の圧入力で飛び込ませた例である。前例の移動コアピン部５ａの移動動作をより確実なものとした例である。
次に、動作について説明する。図６の状態から金型１を拡開させると、移動コアピン部５ａは弾撥部材１１の弾撥力と、可動側コアピン７の先端に取り付けられたプラロック１３の引っ張り力とが相まって、前記金型の拡開方向に移動させられる。この時、前例と同様に、成形品Ａが固定側キャビティー４から離脱する（図７参照）。ここで、更に金型を拡開させると、前記プラロック１３が移動コアピン部５ａの中空部５ｃから抜け出し（図８参照）、ついには、スリーブピン８によって成形品Ａがキャビティー６から突き出され離脱する（図９参照）。
尚、本例においては、移動コアピン部５ａを弾撥部材１１によっても付勢しているが、前記中空部５ｃとプラロック１３の圧入力を高めることによって、この弾撥部材を削減することもできる。
【００１０】
【発明の効果】
本発明は、固定側型板群と可動側型板群からなり、それら双方の型板群に成形品が形成されるキャビティーが形成された金型装置であって、前記固定側型板群のキャビティーによって成形された成形部を離脱させ、次いで、可動側型板群のキャビティーによって成形された成形部を離脱させると共に、前記固定側型板群の成形部の離脱を固定コアピン部と移動コアピン部から構成された固定側コアピンの前記移動コアピン部の移動によってなしたことと、その移動コアピン部を前記可動側型板群のキャビティー内に突出させると共に、前記移動コアピン部を固定側型板群と可動側型板群の拡開方向に向けて付勢し、また、移動コアピン部の中間部を固定側型板群の端面に当接させたので、確実に成形品を金型から離脱させることができる。
【図面の簡単な説明】
【図１】  本発明の第１例を示す断面図。
【図２】  動作を示す断面図。
【図３】  動作を示す断面図。
【図４】  動作を示す断面図。
【図５】  動作を示す断面図。
【図６】  第２例を示す断面図。
【図７】  第２例の動作を示す断面図。
【図８】  第２例の動作を示す断面図。
【図９】  第２例の動作を示す断面図。
【図１０】  従来の技術を示す断面図。
【図１１】  従来の動作を示す断面図。
【符号の説明】
１        金型
２        固定側型板群
３        可動側型板群
４        固定側キャビティー
５        固定側コアピン
５ａ      移動コアピン部
５ｂ      固定コアピン部
６        可動側キャビティー
７        可動側コアピン
８        スリーブピン
９        固定側キャビティー
１１      弾撥部材
１２      ストップボルト
１３      プラロック
【図１】
0004224974.tif 000002
【図２】
0004224974.tif 000003
【図３】
0004224974.tif 000004
【図４】
0004224974.tif 000005
【図５】
0004224974.tif 000006
【図６】
0004224974.tif 000007
【図７】
0004224974.tif 000008
【図８】
0004224974.tif 000009
【図９】
0004224974.tif 000010
【図１０】
0004224974.tif 000011
【図１１】
0004224974.tif 000012